(57)【要約】【課題】浄水カートリッジの交換時期を示す時期表示が設けられた表示リングを備えたシャワーヘッドにおいて、表示リングを成形するための金型の構成を簡素化すること。【解決手段】シャワーヘッドは、本体１１の内部に浄水カートリッジを着脱可能に収容するための収容部を備えている。本体１１には窓孔２３を設けるとともに、本体１１の内側の位置には表示リング４１を回転可能に設け、その表示リング４１には、同表示リング４１の回転によって前記窓孔２３に順次対向する複数の時期表示を付す。本体１１と表示リング４１との間には、表示リング４１の軸方向移動を規制する規制部を設け、その規制部には、表示リング４１の回転に対して節度感を付与するための節度感付与部を設ける。【選択図】図３
2018003467.tif 000002
【特許請求の範囲】
【請求項１】
本体の内部には、浄水カートリッジを着脱可能に収容するための収容部を備え、前記本体の周壁には窓孔を設けるとともに、その周壁の内側には表示リングを回転可能に設け、その表示リングには、同表示リングの回転によって前記窓孔の位置を順次通過する複数の時期表示を付した吐水器具において、
前記表示リングには、前記本体の受け部に係合して、同表示リングの軸方向移動を規制するための規制部を設け、その規制部には、前記表示リングの回転に対して前記時期表示ごとの節度感を付与するための節度感付与部を設けた吐水器具。
【請求項２】
前記表示リングに弾性変形可能な突出片を設け、前記規制部を、前記突出片に形成した突部と、前記本体の内周面に形成した環状の段差部とにより構成した請求項１に記載に吐水器具。
【請求項３】
前記節度感付与部を、前記突部と、前記時期表示の配列ピッチと同ピッチで形成され、前記突部が係合される山部及び谷部とにより構成した請求項２に記載の吐水器具。
【発明の詳細な説明】
【技術分野】
【０００１】
本発明は、浄水カートリッジを内装できるようにしたシャワーヘッドなどの吐水器具に関するものである。
【背景技術】
【０００２】
この種の吐水器具が特許文献１に開示されている。
特許文献１に開示された吐水器具は、シャワーヘッドであって、シャワーヘッド本体の先端にキャップ状の散水部材が設けられている。そして、シャワーヘッド本体及び散水部材の外周面と同一面上に位置する表示リングがシャワーヘッド本体と散水部材との間において回転位置変更可能に設けられている。表示リングの外周には、交換時期などの時期を指示する１２箇月分の月表示が付されている。また、シャワーヘッド本体には、選択された月を指示するための指示マークが付されている。
【先行技術文献】
【特許文献】
【０００３】
【特許文献１】特開２００１−８８４９号公報
【発明の概要】
【発明が解決しようとする課題】
【０００４】
特許文献１の構成においては、前記のように、表示リングがシャワーヘッド本体と散水部材との間に挟まれた状態で、それらの外周面と同一面上において連続するように配置されている。従って、表示リングが幅の広いものであると、本体と散水部材との間の間隔が広がって、シャワーヘッド全体が大形化してしまうため、表示リングの幅を狭くせざるを得ない。このため、表示リング上の月表示の文字が見にくくなるとともに、表示リングの回転操作が行ないにくくなるという問題がある。また、表示リングの月表示のすべてが常に露出されているため、所要の月表示が指示マークによって指示されていても、指示された月表示の特定がしにくく、表示機能が低いという問題がある。
【０００５】
これを防止するためには、回転操作される操作部を除いて、表示リングを本体の内部に位置させるとともに、所要の月表示のみを本体の窓を介して表示するようにすれば、表示リングを幅広にして、従って、月表示を大きくできて、見やすくすることができる。また、操作部を本体の表面からわずかに突出させることにより、回転操作もしやすいものとなる。このような構成においては、月表示が窓の位置からずれないように位置保持する突起などの手段を設ける必要がある。
【０００６】
一方、表示リングの回転においては、操作者に対して、月表示の配列ピッチと同ピッチで節度感を与えることが、月表示の選択操作のために好ましい。この節度感を得るためには、前記突起などに加えて、さらにばね機能を備えた突起などの構成が必要になる。その結果、表示リングの構成が複雑になり、従って、表示リングを成形するための金型の構成が複雑になることを回避できない。
【０００７】
本発明の目的は、表示リングの成形するための金型の構成を簡素化できる吐水器具を提供することにある。
【課題を解決するための手段】
【０００８】
上記の目的を達成するために、本発明においては、本体の内部には、浄水カートリッジを着脱可能に収容するための収容部を備え、前記本体の周壁には窓孔を設けるとともに、その周壁の内側には表示リングを回転可能に設け、その表示リングには、同表示リングの回転によって前記窓孔に順次対向する複数の時期表示を付した吐水器具において、前記表示リングには、前記本体の受け部に係合して、同表示リングの軸方向移動を規制するための規制部を設け、その規制部には、前記表示リングの回転に対して前記時期表示ごとの節度感を付与するための節度感付与部を設けたことを特徴とする。
【０００９】
以上の構成においては、表示リングの軸方向移動を規制するための規制部を設け、この規制部に節度感付与部を設けたことにより、規制部と節度感付与部とを共用できる。従って、表示リングの形状が単純化され、表示リングを成形するための金型の構成を簡素化できる。
【発明の効果】
【００１０】
本発明によれば、表示リングを成形するための金型の構成を簡素化できるという効果がある。
【図面の簡単な説明】
【００１１】
【図１】シャワーヘッドの斜視図。
【図２】シャワーヘッドの一部破断側面図。
【図３】図２の３−３線断面図。
【図４】実施形態の要部を示す斜視図。
【図５】表示リングを示す斜視図。
【発明を実施するための形態】
【００１２】
以下に、本発明の吐水器具をシャワーヘッドに具体化した実施形態を図面に従って説明する。
図１及び図２に示すように、シャワーヘッドの本体１１は、把持部１２とヘッド部１３とを備え、ヘッド部１３は、把持部１２に対してねじ部１４を介して着脱可能である。把持部１２は、ホース１５を介して給水源及び給湯源（ともに図示しない）に接続されている。そして、給水源及び給湯源からの水，湯及び水と湯との混合水（以下、水道水と総称する）がホース１５から把持部１２及びヘッド部１３の内部を通ってヘッド部１３のシャワー孔１６からシャワー水として吐水される。
【００１３】
把持部１２内には収容室１７が形成され、この収容室１７の内部には、活性炭などの濾材２０を用いて塩素分などの不純物を捕捉するようにした浄水カートリッジ１８が着脱可能に収容されている。
【００１４】
把持部１２の下端には、同把持部１２の周壁の一部を構成する切換リング２１が回転操作可能に取り付けられている。この切換リング２１は、２位置間において回転操作されるようになっている。切換リング２１が２位置の一方の位置に回転操作されたときには、前記ホース１５からの水道水が前記浄水カートリッジ１８の中心の流路１９を通ってシャワー孔１６から原水として吐水される。切換リング２１が他方の位置に回転操作されたときには、流路が切換えられて、前記ホース１５からの水道水が前記浄水カートリッジ１８の外周から濾材２０を通過して、中心の流路１９に至り、その流路１９を通ってシャワー孔１６から浄水として吐水される。切換リング２１の外周面は、滑止めのために凹凸形状に形成されている。
【００１５】
図３〜図５に示すように、切換リング２１の下縁側には、四角形の窓孔２３が切込み形成され、その内部には、透明板２４が嵌められている。透明板２４の外周には、フランジ２５が形成され、このフランジ２５は、切換リング２１の溝部２６に係合していて、透明板２４が窓孔２３内において窓孔２３の内外方向（図３の左右方向）に移動しないようになっている。切換リング２１の下部側内周面には円筒面２７が形成され、その上縁には受け部としての環状の段差部２８が形成されている。段差部２８の上部側において、切換リング２１の内周面には、等間隔をおいて１２箇所に山部２９が形成されるとともに、各山部２９間に谷部３０が形成されている。各山部２９の頂部及び谷部３０の底部は、それぞれ円弧状をなす緩やかに連続する曲面に形成されている。
【００１６】
切換リング２１の下側には表示リング４１が設けられている。この表示リング４１は、小径の挿入部４２と、大径の操作部４３とによって構成されている。挿入部４２は、前記切換リング２１内に挿入されて切換リング２１の円筒面２７と対向した状態で回転される。挿入部４２には、環状の基部４４から、等間隔をおいた突出片としての４枚の第１片４５と、同じく等間隔をおいた４枚の第２片４６とが交互に配列され、第１片４５と第２片４６との間には、間隙４７が形成されている。各第１片４５の先端の外周側には、切換リング２１の前記段差部２８に係合する突部４８が形成されている。また、表示リング４１の操作部４３の上面４３１には、前記段差部２８とともに受け部を構成する切換リング２１の下端面２２が係合されている。前記段差部２８と突部４８との係合及び前記操作部４３の上面４３１と切換リング２１の下端面２２との係合により、表示リング４１の軸方向移動を規制するための規制部が構成されている。
【００１７】
前記操作部４３は、前記切換リング２１の外周面からわずかに突出する外周面を有し、その外周面は回転操作時の滑止めのために凹凸形状をなしている。この操作部４３に対する回転操作により、表示リング４１を切換リング２１とは関わりなく、単独で回転できるようになっている。操作部４３は前記透明板２４の窓孔２３からの脱落を阻止している。
【００１８】
そして、表示リング４１の回転操作により、突部４８が第１片４５の弾性変形をともないながら１２箇所の山部２９及び谷部３０上を摺動され、突部４８が谷部３０に係合するごとに、表示リング４１の回転操作に対して節度感が付与される。従って、突部４８と、山部２９及び谷部３０により節度感付与部が構成されている。突部４８の頂部は、谷部３０と凹凸の関係で対応する形状をなし、従って、突部４８の頂部も円弧状の緩やかな曲面形状に形成されている。なお、切換リング２１が回転操作されたときには、突部４８と谷部３０との係合を介して、表示リング４１が切換リング２１と一体に回転される。突部４８の上縁部には面取り状の傾斜部５０が形成され、この傾斜部５０の作用により、表示リング４１を切換リング２１の下部側から切換リング２１内に挿入する際に、その挿入が円滑に行われるようになっている。
【００１９】
表示リング４１の前記挿入部４２の外周面には、それぞれ異なる１２の月を示す時期表示としての月表示４９が付されている。前記山部２９及び谷部３０は、月表示４９と同じ配列ピッチで形成されている。そして、表示リング４１の回転にともない、月表示４９が前記窓孔２３に順次対向するとともに、対向したタイミングで第１片４５の突部４８が節度感付与のために谷部３０に係合する。このことにより、月表示４９のひとつが窓孔２３に位置に保持されて、透明板２４を介して透視することができる。
【００２０】
図３に示すように、前記本体１１の下端には突起５３と凹部５４との係合により、抜止めリング５１が固定され、この抜止めリング５１の下端のフランジ５２に表示リング４１の下端の段差部５６の下面５６１が係合されている。そして、この表示リング４１を介して、前記切換リング２１が抜止め保持されている。
【００２１】
次に、本実施形態のシャワーヘッドの作用を説明する。
切換リング２１の窓孔２３には、収容室１７内に収容されている浄水カートリッジ１８を交換した月、あるいは同カートリッジ１８の交換予定月を示す月表示４９が対向していて、透明板２４を介して透視される状態にある。この状態においては、表示リング４１の操作部４３の上面４３１が切換リング２１の下端面２２に係合するとともに、突部４８が段差部２８に係合して、表示リング４１が軸方向において位置決めされている。従って、月表示４９が窓孔２３の位置から前記軸方向にずれないように保持されている。また、この状態においては、第１片４５の突部４８が切換リング２１の谷部３０に係合して、その位置で弾性的に保持され、月表示４９が周方向にずれないように保持されている。
【００２２】
収容室１７内の浄水カートリッジ１８は、本体１１のヘッド部１３を脱着することにより交換できる。浄水カートリッジ１８の交換に際しては、交換した月、または次回の交換月を示す月表示４９が窓孔２３において透明板２４を介して表示されるように、操作者が表示リング４１の操作部４３を回転操作することにより、表示リング４１が回転される。このようにすれば、所要の月表示４９が、前記突部４８と段差部２８との係合及び操作部４３の上面４３１と切換リング２１の下端面２２との係合によって窓孔２３の位置から軸方向に外れることなく保持され、そして、窓孔２３の位置を順次滑らかに通過することができる。この表示リング４１の回転により、第１片４５の弾性に抗する撓みをともないながら、突部４８が山部２９を乗り越えて、月表示４９が窓孔２３に対向したところで、谷部３０に位置して、その位置で弾性的に保持される。従って、月表示４９が窓孔２３に対向するごとに、操作者に対して節度感が付与されるとともに、所要の位置で表示リング４１の回転操作を停止することにより、所要の月表示４９を窓孔２３に表示できる。
【００２３】
本実施形態においては、以下の効果がある。
（１）表示リング４１の第１片４５に一体形成した突部４８が、表示リング４１の軸方向移動を規制する抜止めと、表示リング４１の節度感付与部を兼ねるため、表示リング４１に、抜止めのための突部と、節度感を付与するためのばね状の突部とをそれぞれ単独で設ける必要がない。このため、表示リング４１の構成が簡単になる。従って、表示リング４１を成形するための金型として、表示リング４１の外周側を成形する一対の割型と、表示リング４１の内周側を成形するためのひとつの中子を設けるのみでよく、特許文献１の構成とは異なり、金型の構成及び形状を簡素化できる。
【００２４】
（２）表示リング４１の挿入部４２が切換リング２１内に挿入されているため、表示リング４１の月表示４９と対向する窓孔２３を大きくしても、シャワーヘッドが大形化することはない。このため、月表示４９の大きさを大きくして、月表示４９を見やすくできる。
【００２５】
（３）表示リング４１が切換リング２１の下部側において本体１１の下端部に設けられているため、表示リング４１を本体１１の把持部１２とヘッド部１３との間の位置に設ける場合とは異なり、表示リング４１の操作部４３を回転操作しやすい。
【００２６】
（４）表示リング４１の突部４８の頂部及び切換リング２１の谷部３０を円弧状にして、緩やかな曲面状に形成したため、表示リング４１の操作部４３を回転操作する際に、衝撃音や衝撃的な節度感が生じることを防止して、スムーズで快適な操作感を得ることができる。また、子供の悪戯防止対策などを図るために、表示リング４１の操作部４３を容易に回転操作できないように、突部４８を有する第１片４５の肉厚を厚くしたりすることにより、第１片４５のばね力を強くしても、スムーズな操作感を維持できて、操作感が低下することを抑えることができる。さらには、突部４８の頂部や、山部２９及び谷部３０を緩やかに連続する曲面形状にしたことにより、突部４８，山部２９及び谷部３０のチッピングや早期摩耗を抑えることができる。
【００２７】
本発明は、前記実施形態に限定されるものではなく、以下のような態様で具体化することができる。
・表示リング４１を本体１１の把持部１２とヘッド部１３との間の位置に設けること。
【００２８】
・前記実施形態では、本発明をシャワーヘッドにおいて具体化したが、それ以外に、浄水器水栓や、浄水カートリッジを有するシングルレバー水栓などの吐水器具において具体化すること。
【００２９】
・前記実施形態においては、表示リング４１の軸方向移動を阻止する構成として、切換リング２１の内周面に溝を形成して、この溝内に第１片４５の突部４８を嵌入させること。このようにすれば、表示リング４１の操作部４３の上面４３１が切換リング２１の下端面２２から離間していても、表示リング４１の軸方向移動が阻止される。
【００３０】
・前記実施形態においては、節度感付与部が、突部４８と谷部３０とにより構成されたが、突部４８の代りに山部２９と係合する凹部を第１片４５の上端部に形成して、節度感付与部の凹凸関係を前記実施形態の逆にすること。
【００３１】
前記実施形態から把握される技術的思想は以下の通りである。
（Ａ）円筒状の本体の基端に前記表示リングを設けた請求項１〜４のうちのいずれか一項に記載の吐水器具。
【００３２】
（Ｂ）前記突部と、前記山部及び谷部との係合部を曲面で形成した請求項３に記載の吐水器具。
【符号の説明】
【００３３】
１１…本体、１２…把持部、１３…ヘッド部、１７…収容室、２１…切換リング、２３…窓孔、２４…透明板、２８…段差部、２９…山部、３０…谷部、４１…表示リング、４８…突部、４９…月表示。
【図１】
2018003467.tif 000003
【図２】
2018003467.tif 000004
【図３】
2018003467.tif 000005
【図４】
2018003467.tif 000006
【図５】
2018003467.tif 000007